(57)【要約】【課題】  通常の係員が遊技媒体等の補給作業に際して扉体を開けて貨幣処理部に触れることができないようにし、金銭管理の安全性を高める。【解決手段】  扉体５２が開閉可能に取り付けられる本体部５１の上面に、メダル補給口５５２とカップ補給口５４２を形成し、該メダル補給口５５２とカップ補給口５４２に、それぞれ、メダル補給扉５５１とカップ補給扉５４１を開閉可能に取り付ける。扉体５２が閉められている状態で、錠機構５５３を解錠してメダル補給扉５５１を開けることで、メダル補給口５５２からメダル収納部にメダルを補給でき、錠機構５４３を解錠してカップ補給扉５４１を開けることで、カップ補給口５４２からカップ収納部にカップを補給できる。【選択図】  図４
2005304840.tif 000002
【特許請求の範囲】
【請求項１】
貨幣の受入れ処理とつり銭貨幣の払出し処理を行う貨幣処理装置、及び受け入れた貨幣に応じて遊技媒体収納部から遊技媒体を払出す遊技媒体払出機構を内部に実装する本体筐体部と、前記本体筐体部前面に開閉可能に取り付けられ、錠機構を有する扉体から成る遊技媒体貸出装置において、
前記本体筐体部の外面に形成され、前記遊技媒体収納部に連通される遊技媒体補給口と、
前記遊技媒体補給口に開閉可能に取り付けられ、錠機構を有する遊技媒体補給扉と
を具備することを特徴とする遊技媒体貸出装置。
【請求項２】
前記遊技媒体補給口は、前記本体筐体部上面に形成される
ことを特徴とする請求項１記載の遊技媒体貸出装置。
【請求項３】
前記本体筐体部内部に実装され、遊技媒体の払出しに先立って、該遊技媒体を受け入れる受入容器を受入容器収納部から払出す受入容器払出機構と、
前記本体筐体部の外面に形成され、前記受入容器収納部に連通される受入容器補給口と、
前記受入容器補給口に開閉可能に取り付けられ、錠機構を有する受入容器補給扉と
を更に具備することを特徴とする請求項１記載の遊技媒体貸出装置。
【請求項４】
前記受入容器補給口は、前記本体筐体部上面に形成される
ことを特徴とする請求項３記載の遊技媒体貸出装置。
【請求項５】
前記扉体の前面に設けられ、情報を表示する表示部と情報を入力する操作部から成る表示操作手段と、
前記遊技媒体補給扉の開閉状態を検知する検知手段と、
前記検知手段により、前記遊技媒体補給扉が開けられたことが検知された場合、前記表示操作手段の動作モードを、客が遊技媒体を購入するために必要な情報を前記表示部に表示する貸出待機モードから、保守関連の設定を行うために必要な情報を前記表示部に表示しかつ前記操作部からの設定操作を受け入れる操作者モードに切り換えるモード切換制御手段と
を具備することを特徴とする請求項１記載の遊技媒体貸出装置。
【請求項６】
前記モード切換制御手段は、
前記検知手段により、前記遊技媒体補給扉が閉じられたことが検知された場合、前記表示操作手段の動作モードを、前記操作者モードから前記貸出待機モードに切り換える
ことを特徴とする請求項５記載の遊技媒体貸出装置。
【請求項７】
前記扉体の前面に設けられ、情報を表示する表示部と情報を入力する操作部から成る表示操作手段と、
前記遊技媒体補給扉の内側に設けられ、前記表示操作手段の動作モードの切り換えを指示するモード切換指示手段と、
前記モード切換指示手段による動作モード切換指示に応じて、前記表示操作手段の動作モードを、客が遊技媒体を購入するために必要な情報を表示する貸出待機モードまたは保守関連の設定を行うために必要な情報を前記表示部に表示しかつ前記操作部からの設定操作を受け入れる操作者モードに切り換えるモード切換制御手段と
を具備することを特徴とする請求項１記載の遊技媒体貸出装置。
【請求項８】
前記遊技媒体補給扉の開閉状態を検知する検知手段
を具備し、
前記モード切換制御手段は、
前記検知手段により、前記遊技媒体補給扉が閉じられたことが検知された場合、前記表示操作手段の動作モードを、前記操作者モードから前記貸出待機モードに切り換える
ことを特徴とする請求項７記載の遊技媒体貸出装置。
【請求項９】
前記扉体の前面に設けられ、情報を表示する表示部と情報を入力する操作部から成る表示操作手段と、
前記遊技媒体補給扉の開閉状態を検知する第１の検知手段と、
前記受入容器補給扉の開閉状態を検知する第２の検知手段と、
前記第１及び第２の検知手段により、前記遊技媒体補給扉または前記受入容器補給扉の少なくともいずれか一方が開けられたことが検知された場合、前記表示操作手段の動作モードを、客が遊技媒体を購入するために必要な情報を表示する貸出待機モードから、保守関連の設定を行うために必要な情報を前記表示部に表示しかつ前記操作部からの設定操作を受け入れる操作者モードに切り換えるモード切換制御手段と
を具備することを特徴とする請求項３記載の遊技媒体貸出装置。
【請求項１０】
前記モード切換制御手段は、
前記第１及び第２の検知手段により、前記遊技媒体補給扉及び前記受入容器補給扉の両者が閉じられたことが検知された場合、前記表示操作手段の動作モードを、前記操作者モードから前記貸出待機モードに切り換える
ことを特徴とする請求項９記載の遊技媒体貸出装置。
【請求項１１】
前記扉体の前面に設けられ、情報を表示する表示部と情報を入力する操作部から成る表示操作手段と、
前記遊技媒体補給扉の内側に設けられ、前記表示操作手段の動作モードの切り換えを指示する第１のモード切換指示手段と、
前記受入容器補給扉の内側に設けられ、前記表示操作手段の動作モードの切り換えを指示する第２のモード切換指示手段と、
前記第１及び第２のモード切換指示手段による動作モード切換指示に応じて、前記表示操作手段の動作モードを、客が遊技媒体を購入するために必要な情報を表示する貸出待機モードまたは保守関連の設定を行うために必要な情報を前記表示部に表示しかつ前記操作部からの設定操作を受け入れる操作者モードに切り換えるモード切換制御手段と
を具備することを特徴とする請求項３記載の遊技媒体貸出装置。
【請求項１２】
前記遊技媒体補給扉の開閉状態を検知する第１の検知手段と、
前記受入容器補給扉の開閉状態を検知する第２の検知手段と
を具備し、
前記モード切換制御手段は、
前記第１及び第２の検知手段により、前記遊技媒体補給扉または前記受入容器補給扉の両者が閉じられたことが検知された場合、前記表示操作手段の動作モードを、前記操作者モードから前記貸出待機モードに切り換える
ことを特徴とする請求項１１記載の遊技媒体貸出装置。
【発明の詳細な説明】
【技術分野】
【０００１】
本発明は、本体筐体部と、該本体筐体部前面に開閉可能に取り付けられる扉体から成る遊技媒体貸出装置に係わり、詳しくは、扉体を開けずに遊技媒体等の補給や保守関連の各種設定等の作業が行なえるようにした遊技媒体貸出装置に関する。
【背景技術】
【０００２】
パチンコ、スロットマシンなどの遊技機が設置された遊技店には、パチンコ玉やメダル等の遊技媒体を貸し出す遊技媒体貸出装置が設置されている。
【０００３】
この種の遊技媒体貸出装置の一つであるメダル貸機では、遊技客が投入した貨幣（紙幣や硬貨）を受け入れ、１万円でメダル何枚、千円でメダル何枚といったメダル貸出パターンが各々対応付けられた複数の選択ボタンのいずれかが遊技客によって押下されると、当該押下された選択ボタンに対応する貸出パターンでメダル収納部からメダルを払出し、つり銭があれば、当該つり銭の払出し処理を行う。
【０００４】
また、機種によっては、メダルの枚数がある枚数以上の場合に、メダルを受入れる受入容器（以下、カップ）を収納したカップ収納部からカップを事前に繰り出しておいてから、当該カップに対してメダルの貸し出しを行なう。
【０００５】
このような機種では、メダルの補給作業やカップの補給作業を行なう必要があり、また、メダル収納部におけるメダル詰まり（ブリッジ）や、カップ収納部におけるカップ詰まり等の解除作業等の他、売上貨幣の回収作業、つり銭貨幣の補給作業等を行なう必要がある。
【０００６】
上記各作業の完了後、必要であれば、係員用操作部を使ってリセット操作（未投出のメダルの払い出し、待機状態への復帰等）も行う。
【０００７】
こうした各種の作業に対して、この種の従来のメダル貸機では、例えば、下記公知文献（特許文献１）に記載される貨幣両替機（第１図参照）のように、装置本体部前面に設けられる扉体を鍵を使って開け、装置本体部前面を開放した状態で対応するのは一般的であった。
【特許文献１】実開平３−８６４７３号公報
【発明の開示】
【発明が解決しようとする課題】
【０００８】
ところで、上述した各作業のうち、例えば、メダルやカップの補給作業は貨幣に触れる作業でないことから通常の係員に任せることができるが、売上貨幣の回収作業やつり銭貨幣の補給作業は、貨幣に触れる作業であるため、管理者が行なうことが望ましい。
【０００９】
しかしながら、上記従来のメダル貸機は、メダル収納部やカップ収納部に触れるには、鍵を使って扉体を開けて装置本体部前面を開放するしかない構造であったため、結局は、メダルやカップの補給作業を行なう通常の係員にも扉体の鍵を持たせる必要があった。
【００１０】
このため、従来は、通常の係員も、渡された鍵を使っていつでも扉体を開けることができ、その際、貨幣収納部位（貨幣処理部）にも自由に触れることが可能となるため、売上貨幣やつり銭として補充する貨幣等の金銭管理の安全性が損なわれるという問題点があった。
【００１１】
本発明は上記問題点を解消し、通常の係員が遊技媒体等の補給作業に際して扉体を開けて貨幣処理部に触れることができないようにすることで、金銭管理の安全性を高めることができる遊技媒体貸出装置を提供することを目的とする。
【課題を解決するための手段】
【００１２】
上記目的を達成するために、請求項１記載の発明は、貨幣の受入れ処理とつり銭貨幣の払出し処理を行う貨幣処理装置、及び受け入れた貨幣に応じて遊技媒体収納部から遊技媒体を払出す遊技媒体払出機構を内部に実装する本体筐体部と、前記本体筐体部前面に開閉可能に取り付けられ、錠機構を有する扉体から成る遊技媒体貸出装置において、前記本体筐体部の外面に形成され、前記遊技媒体収納部に連通される遊技媒体補給口と、前記遊技媒体補給口に開閉可能に取り付けられ、錠機構を有する遊技媒体補給扉とを具備することを特徴とする。
【００１３】
請求項２記載の発明は、上記請求項１記載の発明において、前記遊技媒体補給口は、前記本体筐体部上面に形成されることを特徴とする。
【００１４】
請求項３記載の発明は、上記請求項１記載の発明において、前記本体筐体部内部に実装され、遊技媒体の払出しに先立って、該遊技媒体を受け入れる受入容器を受入容器収納部から払出す受入容器払出機構と、前記本体筐体部の外面に形成され、前記受入容器収納部に連通される受入容器補給口と、前記受入容器補給口に開閉可能に取り付けられ、錠機構を有する受入容器補給扉とを更に具備することを特徴とする。
【００１５】
請求項４記載の発明は、上記請求項３記載の発明において、前記受入容器補給口は、前記本体筐体部上面に形成されることを特徴とする。
【００１６】
請求項５記載の発明は、上記請求項１記載の発明において、前記扉体の前面に設けられ、情報を表示する表示部と情報を入力する操作部から成る表示操作手段と、前記遊技媒体補給扉の開閉状態を検知する検知手段と、前記検知手段により、前記遊技媒体補給扉が開けられたことが検知された場合、前記表示操作手段の動作モードを、客が遊技媒体を購入するために必要な情報を前記表示部に表示する貸出待機モードから、保守関連の設定を行うために必要な情報を前記表示部に表示しかつ前記操作部からの設定操作を受け入れる操作者モードに切り換えるモード切換制御手段とを具備することを特徴とする。
【００１７】
請求項６記載の発明は、上記請求項５記載の発明において、前記モード切換制御手段は、前記検知手段により、前記遊技媒体補給扉が閉じられたことが検知された場合、前記表示操作手段の動作モードを、前記操作者モードから前記貸出待機モードに切り換えることを特徴とする。
【００１８】
請求項７記載の発明は、上記請求項１記載の発明において、前記扉体の前面に設けられ、情報を表示する表示部と情報を入力する操作部から成る表示操作手段と、前記遊技媒体補給扉の内側に設けられ、前記表示操作手段の動作モードの切り換えを指示するモード切換指示手段と、前記モード切換指示手段による動作モード切換指示に応じて、前記表示操作手段の動作モードを、客が遊技媒体を購入するために必要な情報を表示する貸出待機モードまたは保守関連の設定を行うために必要な情報を前記表示部に表示しかつ前記操作部からの設定操作を受け入れる操作者モードに切り換えるモード切換制御手段とを具備することを特徴とする。
【００１９】
請求項８記載の発明は、上記請求項７記載の発明において、前記遊技媒体補給扉の開閉状態を検知する検知手段を具備し、前記モード切換制御手段は、前記検知手段により、前記遊技媒体補給扉が閉じられたことが検知された場合、前記表示操作手段の動作モードを、前記操作者モードから前記貸出待機モードに切り換えることを特徴とする。
【００２０】
請求項９記載の発明は、上記請求項３記載の発明において、前記扉体の前面に設けられ、情報を表示する表示部と情報を入力する操作部から成る表示操作手段と、前記遊技媒体補給扉の開閉状態を検知する第１の検知手段と、前記受入容器補給扉の開閉状態を検知する第２の検知手段と、前記第１及び第２の検知手段により、前記遊技媒体補給扉または前記受入容器補給扉の少なくともいずれか一方が開けられたことが検知された場合、前記表示操作手段の動作モードを、客が遊技媒体を購入するために必要な情報を表示する貸出待機モードから、保守関連の設定を行うために必要な情報を前記表示部に表示しかつ前記操作部からの設定操作を受け入れる操作者モードに切り換えるモード切換制御手段とを具備することを特徴とする。
【００２１】
請求項１０記載の発明は、上記請求項９記載の発明において、前記モード切換制御手段は、前記第１及び第２の検知手段により、前記遊技媒体補給扉及び前記受入容器補給扉の両者が閉じられたことが検知された場合、前記表示操作手段の動作モードを、前記操作者モードから前記貸出待機モードに切り換えることを特徴とする。
【００２２】
請求項１１記載の発明は、上記請求項３記載の発明において、前記扉体の前面に設けられ、情報を表示する表示部と情報を入力する操作部から成る表示操作手段と、前記遊技媒体補給扉の内側に設けられ、前記表示操作手段の動作モードの切り換えを指示する第１のモード切換指示手段と、前記受入容器補給扉の内側に設けられ、前記表示操作手段の動作モードの切り換えを指示する第２のモード切換指示手段と、前記第１及び第２のモード切換指示手段による動作モード切換指示に応じて、前記表示操作手段の動作モードを、客が遊技媒体を購入するために必要な情報を表示する貸出待機モードまたは保守関連の設定を行うために必要な情報を前記表示部に表示しかつ前記操作部からの設定操作を受け入れる操作者モードに切り換えるモード切換制御手段とを具備することを特徴とする。
【００２３】
請求項１２記載の発明は、上記請求項１１記載の発明において、前記遊技媒体補給扉の開閉状態を検知する第１の検知手段と、前記受入容器補給扉の開閉状態を検知する第２の検知手段とを具備し、前記モード切換制御手段は、前記第１及び第２の検知手段により、前記遊技媒体補給扉または前記受入容器補給扉の両者が閉じられたことが検知された場合、前記表示操作手段の動作モードを、前記操作者モードから前記貸出待機モードに切り換えることを特徴とする。
【発明の効果】
【００２４】
本発明によれば、開閉可能な扉体が取り付けられる本体筐体部の外面に、本体筐体部内部の遊技媒体収納部に連通される遊技媒体補給口を形成すると共に、該遊技媒体補給口に、錠機構を有する遊技媒体補給扉を開閉可能に取り付けた構造としたため、扉体が閉められている状態で、遊技媒体補給扉を解錠して開けることによって、遊技媒体補給口から遊技媒体収納部に対して遊技媒体を補給することができる。
【００２５】
また、本発明では、情報を表示する表示部と情報を入力する操作部から成る表示操作手段を扉体の前面に設けると共に、遊技媒体補給扉の開閉状態を検知し、該遊技媒体補給扉が開けられたことが検知された場合、表示操作手段の動作モードを、客が遊技媒体を購入するために必要な情報を表示部に表示する貸出待機モードから、保守関連の設定を行うために必要な情報を表示部に表示しかつ操作部からの設定操作を受け入れる操作者モードに切り換えるようにしたため、遊技媒体補給用扉が開けられるのに連動して保守関連の各種設定や設定変更を行うことができる。
【００２６】
かかる本発明の遊技媒体貸出装置の運用においては、例えば、通常の係員（補給担当者）には遊技媒体補給扉の鍵のみを持たせ、扉体の鍵は管理者だけに持たせるという方法によって、補給担当者が遊技媒体補給扉を開けて行なう遊技媒体の補給や保守関連の各種設定等の作業を滞りなく進める一方で、扉体を開けて行なう売上貨幣の回収やつり銭貨幣補給等の作業は補給担当者とは完全に切り分けて管理者にしか行えなくすることができ、補給担当者が無闇に扉体を開けて本体筐体部内部の貨幣処理装置に触れることができないようにし、金銭に絡む不正行為が起こり得ないような運用環境を構築することで、安全性の高い金銭管理を実現できる。
【発明を実施するための最良の形態】
【００２７】
以下、本発明の実施形態について添付図面を参照して詳細に説明する。
【実施例１】
【００２８】
図１は、本発明の実施例１に係わるメダル貸機５０の正面外観構造を示す図である。
【００２９】
このメダル貸機５０は、ゲームセンタ内に設置されて、ゲーム機での遊技に必要な遊技媒体（メダル）の貸出しを行うものであり、図１に示すように、中が空洞の箱形の筐体から成る本体部５１と、該本体部５１の前面に取り付けられ、該本体部５１に対して開閉可能な扉体５２を備えて構成される。
【００３０】
扉体５２は、錠機構５２１を備え、該錠機構５２１に適合する鍵を用いて本体部５１の前面開口部を塞いだ状態に施錠でき、また、施錠された状態から上記鍵を用いて錠機構５２１を解錠することにより本体部５１の前面開口部が開いた状態に開放できる構造を有する。
【００３１】
扉体５２の前面には、メダル貸出待機時には、遊技客がメダルを購入するために必要な情報（メダル貸出パターン）をパネル（液晶パネル）上に表示するモード（貸出待機モード：以下、客用モード）で駆動される表示部５２２、表示部５２２の外側に設けられ、表示部５２２に表示される情報項目（メダル貸出パターンやボタン機能等）のうちの自ボタンに対応する情報項目の選択を各々指示する（例えば、客用モードでは、表示部５２２に表示されたメダル貸出パターンのうちの自ボタンに対応するメダル貸出パターンの選択を各々指示する）複数の選択ボタン５２３、メダル購入代金としての硬貨を投入する硬貨投入口５２４、メダル購入代金としての紙幣を投入すると共に、つり銭としての紙幣を払い出す紙幣投入／払出口５２５、メダル購入操作等の取消しを指示する取消ボタン５２６、遊技客が選択ボタン５２３を押下することにより指示した貸出パターンに対応するメダルを払い出すメダル払出口５２７、つり銭としての硬貨を払い出す硬貨払出口５２８が備えられている。
【００３２】
なお、表示部５２２は、通常（貸出待機時）は上述した客用モードで駆動されるが、後で詳述するように、本体部５１の上面に設けられるカップ補給扉５４１あるいはメダル補給扉５５１が開かれた場合には、客用モードとは異なる動作モード、すなわち、メダルやカップの補給に当たる係員（以下、補給担当者）が操作部（選択ボタン５２３、後述する係員操作部５１７等）を用いて各種設定を行うために必要な情報をパネル上に表示する操作者モード（オペレータモード）で駆動される。
【００３３】
図２は、実施例１に係わるメダル貸機５０の扉体５２開放時の内部構造を示す斜視図である。
【００３４】
図２に示すように、メダル貸機５０の本体部５１内部には、メダルを収納するメダル収納部５１１、及び制御部（後述する制御基板５３５に相当）からの投出指示に基づきメダル収納部５１１からメダル払出口５２７へとメダルを繰出すメダル繰出部５１２から成るメダル払出装置５１３、硬貨を収納し、つり銭として払い出す硬貨払出装置５１４、４種類の紙幣（１万円札、５千円札、２千円札、千円札）のいずれかを紙幣投入／払出口５２５から受け入れると共に、千円紙幣をつり銭として払出す紙幣処理を行う紙幣処理装置５１５、日計、累計、回収リスト等をプリントするジャーナルプリンタ５１６、遊技ホールの管理者や、上記補給担当者の中から特別に選任された保守担当係員が各種設定を行う際に操作する係員操作部５１７、装置各部に電源を供給する電源装置５１８が設けられる。
【００３５】
また、扉体５２の内側には、メダルを入れる容器（受入容器）として用いるメダル受入カップ（以下、単にカップと呼称する）を集積状態で収納するカップ収納部５３１、及び制御部からの投出指示に基づき、メダル払い出しの直前にカップ収納部５３１からメダル払出口５２７へと１個ずつカップを繰出すカップ繰出部５３２から成るカップ払出装置５３３、メダル購入時に硬貨投入口５２４から投入される硬貨を受け入れて硬貨認識等の処理を行う硬貨処理装置５３４、装置各部を制御する制御基板５３５が設けられている。
【００３６】
更に、本体部５１の上面には、カップ補給扉５４１とメダル補給扉５５１が形成されている。
【００３７】
カップ補給扉５４１は、本体部５１の上部を刳り貫いて形成された開口部であって、扉体５２を閉じた状態で該本体部５１内部のカップ収納部５３１に連通されるカップ補給口５４２に対して開閉可能に構成される。カップ補給扉５４１の開閉可能な構造は、例えば、該カップ補給扉５４１を蝶番等を介して本体部５１に取り付けることにより実現される。
【００３８】
また、カップ補給扉５４１は、錠機構５４３を備え、該錠機構５４３に適合する鍵を用いてカップ補給口５４２を塞いだ状態に施錠でき、また、施錠された状態から上記鍵を用いて錠機構５４３を解錠することによりカップ補給口５４２が開いた状態に開放できるように構成される。
【００３９】
同様に、メダル補給扉５５１は、本体部５１の上部を刳り貫いて形成された開口部であって、該本体部５１内部のメダル収納部５１１に連通されるメダル補給口５５２に対して開閉可能に構成される。メダル補給扉５５１の開閉可能な構造は、カップ補給扉５４１と同様、例えば、該メダル補給扉５５１を蝶番等を介して本体部５１に取り付けることにより実現される。
【００４０】
メダル補給扉５５１は、錠機構５５３を備え、該錠機構５５３に適合する鍵を用いてメダル補給口５５２を塞いだ状態に施錠でき、また、施錠された状態から上記鍵を用いて錠機構５５３を解錠することによりメダル補給口５５２が開いた状態に開放できるように構成される。
【００４１】
なお、図２において、カップ補給扉５４１及びメダル補給扉５５１は、それぞれ、錠機構５４３及び５５３を解錠し、カップ補給口５４２及びメダル補給口５５２に対して開放された状態を示している。
【００４２】
図３は、実施例１に係わるメダル貸機５０における上記各構成要素間の接続関係を示す機能ブロック図である。
【００４３】
図３に示すように、メダル貸機５０は、メダル払出装置５１３（メダル収納部５１１及びメダル繰出部５１２）、カップ払出装置５３３（カップ収納部５３１及びカップ繰出部５３２）、表示部５２２、選択ボタン５２３、取消ボタン５２６、硬貨処理装置５３４、硬貨払出装置５１４、紙幣処理装置５１５、ジャーナルプリンタ５１６、係員操作部５１７、電源装置５１８等、上述した各構成要素を、図２における制御基板５３５に相当する制御部（以下、符号５３５を付す）に接続して構成される。
【００４４】
この他、メダル貸機５０は、図１及び図２では図示していない構成要素として、メダル収納部５１１に収納されるメダルの残量〔メダルがなくなったこと（エンプティ）、あるいは残量が所定枚数以下になったこと（ニアエンプティ）〕を検知するメダル残量センサ５１１１、カップ収納部５３１に収納されるカップの残量〔カップがなくなったこと（エンプティ）、あるいは残量が所定個数以下になったこと（ニアエンプティ）〕を検知するカップ残量センサ５３１１、扉体５２の開閉状態を検知する扉体開閉検知センサ５２０１、カップ補給扉５４１の開閉状態を検知するカップ補給扉開閉検知センサ５４１１、メダル補給扉５５１の開閉状態を検知するメダル補給扉開閉検知センサ５５１１を備え、これら各構成要素も制御部５３５に接続されている。
【００４５】
制御部５３５は、本発明に特徴的な構成として、カップ補給扉開閉検知センサ５４１１、あるいはメダル補給扉開閉検知センサ５５１１の検知出力に基づき、カップ補給扉５４１、あるいはメダル補給扉５５１が開けられたことが検知された際に、表示部５２２を、遊技客が遊技媒体を購入するために必要な情報を表示する客用モードから、補給担当者が各種設定を行うために必要な情報を表示するオペレータモードに切り換える制御を行なうモード切換制御部５３５１を有している。
【００４６】
なお、モード切換制御部５３５１は、上記オペレータモードにおいて、選択ボタン５２３を、表示部５２２に表示された情報項目の選択等によって各種設定を行うための操作部として機能させるように制御する。
【００４７】
また、モード切換制御部５３５１は、扉体開閉検知センサ５２０１の検知出力に基づき、扉体５２が開けられたことが検知された際に、表示部５２２を、上記客用モードから、管理者や保守担当係員が係員操作部５１７を操作して各種設定を行う場合に必要な情報を表示する係員モードに切り換える制御も行なう。
【００４８】
また、制御部５３５は、メモリ５３５２を有し、該メモリ５３５２から読み出した動作プログラムを実行することにより、上記各構成要素を制御してメダル貸し出し等の動作を実行する。
【００４９】
次に、本実施例に係わるメダル貸機５０の運用動作について説明する。
【００５０】
メダル貸機５０の運用にあたっては、補給担当者には、カップ補給扉５４１の錠機構５４３、メダル補給扉５５１の錠機構５５３にそれぞれ適合する各鍵を渡し、管理者あるいは保守担当係員には、上記錠機構５４３，５５３にそれぞれ適合する各鍵の他、扉体５２の錠機構５２１に適合する鍵を渡す。
【００５１】
また、メダル、カップ、紙幣、硬貨といった各媒体を、それぞれ、当該各媒体に対応する収納部（メダル収納部５１１、カップ収納部５３１、紙幣処理装置５１５、硬貨払出装置５１４）に予め装填しておく必要がある。
【００５２】
ここで、メダル及びカップの補給作業について説明する。
【００５３】
図４は、ダル貸機５０のメダル及びカップ補給時の作業イメージを示す図である。
【００５４】
メダル及びカップの補給前、メダル貸機５０では、図４（ａ）に示すように、本体部５１上面に形成されたメダル補給扉５５１及びカップ補給扉５４１は、それぞれ、閉じられた状態で錠機構５５３及び５４３によって施錠されている。
【００５５】
この状態において、メダルを補給する必要に迫られた場合、補給担当者は、事前に渡されている鍵を用いて錠機構５５３を解錠し、メダル補給扉５５１を図４（ｂ）に示すような状態に開放する。この状態で、メダル補給口５５２からメダルを投入し、本体部５１内部のメダル収納部５１１にメダルを補給する。
【００５６】
また、カップを補給する必要に迫られた場合、補給担当者は、事前に渡されている鍵を用いて錠機構５４３を解錠し、カップ補給扉５４１を図４（ｂ）に示すような状態に開放する。この状態で、カップ補給口５４２から積載状態のカップを投入し、本体部５１内部のカップ収納部５３１に当該積載状態のカップを補給する。
【００５７】
上述したメダル及びカップの他、紙幣及び硬貨の装填が整い、貸出待機状態（扉体５２、メダル補給扉５５１、カップ補給扉５４１のいずれも閉じられている）におかれると、メダル貸機５０では、制御部５３５が、表示部５２２を客用モードで駆動し、該表示部５２２に客用モードの画面を表示する。
【００５８】
図５は、表示部５２２における客用モード画面５２２ａの表示例を示す図である。
【００５９】
客用モード画面５２２ａには、個々の選択ボタン５２３（ボタン１〜６）の内容（該当する各ボタンで選択指示可能な貸出パターン：１００００円分をメダル５５０枚、５０００円分をメダル２７０枚、…）が表示される。また、画面下部には、メダル購入に際して受け入れ可能な各貨幣の種別を網羅した金種表示欄が表示される。
【００６０】
遊技客がメダルを購入すべく、硬貨投入口５２４あるいは紙幣投入／払出口５２５から各貨幣を投入すると、上記金種表示欄のうちの当該投入貨幣に相当する金種部分が点灯表示されると共に、当該投入貨幣によって購入可能な範囲の貸出パターンが点灯表示される。
【００６１】
遊技客が、客用モード画面５２２ａを見ながら、所望の貸出パターンに対応する選択ボタン５２３を押下すると、該押下された選択ボタン５２３に対応する貸出パターンでメダルを投出することが制御部５３５からメダル繰出部５１２に指示され、これにより、メダル繰出部５１２からメダル払出口５２７へと上記貸出パターンに対応する分のメダルの払い出しが行なわれる。
【００６２】
その際、メダル枚数が所定枚数以上であった場合には、カップを繰出すことが制御部５３５からカップ繰出部５３２に指示され、これにより、カップ繰出部５３２から１個のカップがメダル払出口５２７に繰出された後、該カップの中にメダル繰出部５１２からのメダルが払い出される。
【００６３】
以後、遊技客は、払い出されたメダルをスロットマシンに投入することにより該スロットマシンでの遊技を行なうことができる。
【００６４】
なお、メダル貸機５０の運用中、メダル，カップのエンプティあるいはニアエンプティがメダル残量センサ５１１１，カップ残量センサ５３１１によってそれぞれ検知された場合、あるいは、メダルやカップの詰まりが図示しない検出手段により検出された場合、制御部５３５は、それぞれの検出結果を通知するための情報を表示部５２２に表示し、状況によっては、貸し出しを中止するように制御する。
【００６５】
メダルやカップのエンプティあるいはニアエンプティの発生を通知する情報が表示部５２２に表示されると、これらの媒体を補給する必要があるが、この場合、補給担当者は、図４に示した作業手順で、各鍵を使ってメダル補給扉５５１あるいはカップ補給扉５４１を開けてそれぞれメダル補給口５５２あるいはカップ補給口５４２からメダルあるいはカップを補給することができる。
【００６６】
この補給作業に際し、制御部５３５では、モード切換制御部５３５１が、メダル補給扉５５１、カップ補給扉５４１が開けられた際、この時のメダル補給扉開閉検知センサ５５１１あるいはカップ補給扉開閉検知センサ５４１１の検知出力に基づき、表示部５２２に関して、上述した客用モード画面５２２ａ（図５参照）を表示する客用モードから、補給担当者が選択ボタン５２３を用いて各種設定を行なうために必要な情報を表示するオペレータモードに切り換える。
【００６７】
また、モード切換制御部５３５１は、上記運用中に扉体５２が開けられた際、この時の扉体開閉検知センサ５２０１の検知出力に基づき、表示部５２２を、上記客用モードから、管理者あるいは保守担当係員による係員操作部５１７を用いた各種設定を支援する情報を表示する係員モードに切り換える。
【００６８】
上記運用形態を踏まえ、以下に、本実施例に係わるメダル貸機５０の処理動作全体の流れを図６に示すフローチャートを参照して説明する。
【００６９】
図６に示す待機状態において、制御部５３５は、表示部５２２を客用モードで駆動し、客用モード画面５２２ａ（図５参照）を表示しながら、扉体開閉検知センサ５２０１の検知出力を取り込み、該検知出力に基づき、扉体５２が開かれたか否かをチェックする（ステップＳ１０１）。
【００７０】
ここで、扉体５２が開かれたことが検知された場合（ステップＳ１０１ＹＥＳ）、モード切換制御部５３５１は、表示部５２２の動作モードを上記客用モードから係員モードに切り換え（ステップＳ１０２）、当該係員モードで表示部５２２の動作を制御する。
【００７１】
また、扉体５２が開かれていないことが検知された場合（ステップＳ１０１ＮＯ）、次いで、モード切換制御部５３５１は、メダル補給扉開閉検知センサ５５１１及びカップ補給扉開閉検知センサ５４１１の検知出力を取り込み、これら検知出力に基づき、各補給扉（メダル補給扉５５１，カップ補給扉５４１）が開かれたか否かをチェックする（ステップＳ１０３）。
【００７２】
ここで、いずれの補給扉も開かれていない場合（ステップＳ１０３ＮＯ）、制御部５３５は、更に、メダル払い出しのための取引があるかどうかをチェックし（ステップＳ１０４）、該取引があると認識された場合（ステップＳ１０４ＹＥＳ）、メダル払い出しのための取引処理を実行する（ステップＳ１０５）。
【００７３】
この取引処理においては、上述したように、硬貨投入口５２４あるいは紙幣投入／払出口５２５から各貨幣の投入を受け入れた後、選択ボタン５２３の押下を待って、該押下された選択ボタン５２３に対応する貸出パターンでメダル繰出部５１２からメダル払出口５２７へとメダルを払出すように制御する。
【００７４】
その際、メダル枚数が所定枚数以上であった場合には、カップ繰出部５３２から事前に１個のカップを繰出した後、該カップの中にメダル繰出部５１２からのメダルを払い出すように制御する。
【００７５】
これに対して、上記各補給扉の少なくともいずれか一方が開かれた場合（ステップＳ１０３ＹＥＳ）、モード切換制御部５３５１は、表示部５２２の動作モードを上記客用モードからオペレータモードに切り換え（ステップＳ１０６）、以後、当該オペレータモードで表示部５２２の動作を制御する。
【００７６】
具体的には、オペレータモードの設定後、モード切換制御部５３５１は、表示部５２２に、該オペレータモードで設定（あるいは、設定解除）可能な各種機能を選択するための機能選択画面を表示する（ステップＳ１０７）。
【００７７】
上記機能選択画面の表示後、モード切換制御部５３５１は、メダル補給扉開閉検知センサ５５１１及びカップ補給扉開閉検知センサ５４１１の検知出力に基づき各補給扉（メダル補給扉５５１，カップ補給扉５４１）が閉じられたか否かをチェックし（ステップＳ１０８）、両方の補給扉が閉じられた場合には、上記オペレータモードを解除し（ステップＳ１０９）、表示部５２２の動作モードを客用モードに戻した後、待機状態に復帰させる。
【００７８】
これに対して、上記各補給扉の少なくともいずれか一方が開かれたままの場合（ステップＳ１０８ＮＯ）、モード切換制御部５３５１は、表示部５２２に表示中の上記機能選択画面上で選択ボタン５２３を用いて機能選択操作がなされたか否かをチェックする（ステップＳ１１０）。
【００７９】
ここで、機能選択操作が行なわれた場合（ステップＳ１１０ＹＥＳ）、モード切換制御部５３５１は、選択された機能が機能設定を指示するものか、あるいは故障解除を指示するものかをチェックする（ステップＳ１１１）。
【００８０】
そして、機能設定を指示するものである場合（ステップＳ１１１で設定）には、当該指示に基づき機能設定処理を実行し（ステップＳ１１２）、故障解除を指示するものである場合（ステップＳ１１１で故障解除）には、当該指示に基づき故障解除の処理を行う（ステップＳ１１３）。
【００８１】
上記設定処理（ステップＳ１１２）または上記故障解除処理（ステップＳ１１３）の終了後、モード切換制御部５３５１は、表示部５２２の表示を機能選択画面に戻し（ステップＳ１０７）、ステップＳ１０８以降の処理を続行する。
【００８２】
この間、上記各補給扉の両方が閉じられたことが検出されると（ステップＳ１０８ＹＥＳ）、モード切換制御部５３５１は、上記オペレータモードを解除し（ステップＳ１０９）、表示部５２２の動作モードを客用モードに戻した後、待機状態に復帰させる。
【００８３】
次に、図６における各動作モード〔係員モード（ステップＳ１０２）、及びオペレータモード（ステップＳ１０６〜Ｓ１０８，Ｓ１１０〜Ｓ１１３）〕の処理動作についてより詳しく説明する。
【００８４】
まず、係員モードにおける処理動作について説明する。
【００８５】
メダル貸機５０の運用中、例えば、管理者や保守担当係員（以下、管理者を例に説明する）が、売上貨幣の回収、つり銭貨幣の補給、メダルやカップの詰まり除去等を行なうべく、鍵を用いて錠機構５２１を解錠することにより扉体５２を開けると（図６におけるステップＳ１０１ＹＥＳ）、係員モードが設定される（同、ステップＳ１０２）。
【００８６】
扉体５２が開放されて係員モードが設定されると、表示部５２２の表示が、それまで表示されていた客用モード画面５２２ａ（図５参照）から、当該係員モードに対応した画面に切り換えられる。
【００８７】
この係員モード画面の内容は、扉体５２を開ける前の当該メダル貸機５０におけるエラー等の有無によって異なり、例えば、扉体５２を開ける前にエラーが発生していない場合、表示部５２２には、図７に示すように、扉体５２が開放中である旨を報知するメッセージ“扉が開いています”を含む扉体開放報知画面５２２ｂが表示され、エラーが発生している場合には、図８に示すように、エラー一覧（Ｅ−××××…）とエラー確認を促すメッセージ“エラーの内容を確認してください”を含むエラー報知画面５２２ｃが表示される。
【００８８】
上記扉体開放報知画面５２２ｂまたはエラー報知画面５２２ｃが表示された後、管理者は、扉体５２の開放により触れることが可能になった係員操作部５１７を適宜操作することにより以後の処理に進むことができる。
【００８９】
図９は、係員操作部５１７の正面外観構造を示す図である。図９に示すように、係員操作部５１７には、故障解除の指示を行うリセットキー５１７１、前回取引データの表示の指示を行う前回取引キー５１７２、ジャーナルプリンタ５１６に対して、日計、累計、回収リストの印字開始及び印字中止の指示を行うプリント／中止キー５１７３、係員操作モードの開始及び終了の指示を行なうメニューキー５１７４、選択された項目の実行及び決定の指示を行う設定キー５１７５、項目、頁、画面送り、各種設定値の選択の指示を行う矢印キー５１７６、数値の入力を行なうテンキー５１７７、回収に使用するＡ〜Ｆ／回収キー５１７８、入力された数値のクリアを行なうクリアキー５１７９の各キーが設けられる。
【００９０】
扉体５２が開けられ、図７に示す扉体開放報知画面５２２ｂが表示されている時に、管理者によって係員操作部５１７のメニューキー５１７４が押下されると、表示部５２２には、図１０に示すような係員操作モード画面５２２ｄが表示される。
【００９１】
係員操作モード画面５２２ｄの表示中に、矢印キー５１７６を用いて、各モード（集計、マニュアル回収、自動回収設定、設定、時計設定、受入金種設定）の中から所望のモード（設定項目）を選択し、設定キー５１７５を押下すると、当該選択された項目に関する設定を行うことができる。
【００９２】
一方、扉体５２が開けられ、図８に示すエラー報知画面５２２ｃが表示されている時に、管理者が、表示されているエラー一覧を見てエラーを確認し、当該エラーを解消する作業を終えた後、リセットキー５１７１を押下すると、エラー解除状態に戻すことができる。
【００９３】
また、上記エラー報知画面５２２ｃが表示されている時であっても、メニューキー５１７４が押下されると、表示部５２２には、図１０に示す係員操作モード画面５２２ｄが表示され、各係員操作を行うことができる。
【００９４】
また、上記係員操作モード画面５２２ｄの表示中にメニューキー５１７４が押下されると、係員操作遷移前の画面（扉体開放報知画面５２２ｂあるいはエラー報知画面５２２ｃ）が表示される。
【００９５】
また、上記係員操作モード画面５２２ｄ上で選択される係員操作モードの各モード中（動作中以外）に、管理者によって扉体５２が閉じられると、係員モードから客用モードに切り換えられ、表示部５２２の表示は、貸出待機中画面〔客用モード画面５２２ａ（図５参照）〕に切り換えられる。
【００９６】
次に、オペレータモードにおける処理動作について説明する。
【００９７】
メダル貸機５０の運用中、補給担当者がメダルやカップの補給、あるいはメダルやカップの詰まり解除等を行なうべく、鍵を用いて錠機構５５３、５４３を解錠することによりメダル補給扉５５１，カップ補給扉５４１を開けると（図６におけるステップＳ１０３ＹＥＳ）、オペレータモードが設定される（同、ステップＳ１０６）。
【００９８】
メダル補給扉５５１，カップ補給扉５４１が開かれてオペレータモードが設定されると、表示部５２２の表示が、それまで表示されていた客用モード画面５２２ａ（図５参照）から、当該オペレータモードに対応した画面に切り換えられる。
【００９９】
このオペレータモード画面の内容は、現在の設定状態や、メダル補給扉５５１，カップ補給扉５４１を開ける前の当該メダル貸機５０の動作状態（メダルの排出状態等）によって異なり、例えば、残枚数投出設定有りに設定されていて、メダル補給扉５５１，カップ補給扉５４１を開ける前に、メダル残枚数がありかつ払い出し可能（メダルの詰まりが無い）である場合、図１１に示すような処理選択画面５２２ｅが表示される。
【０１００】
この処理選択画面５２２ｅには、払い出されるべき残りのメダルの投出を指示するボタン機能情報「メダル残枚数払出し」が、例えば、その外側にある選択ボタン５２３中のボタン６に対応して表示される。これは、ボタン６が「メダル残枚数払出し」指示機能を有することを示している。
【０１０１】
以下においても、選択ボタン５２３中の各ボタンに対応した位置にボタン機能情報（「貸出パターン変更」等）が表示されている場合は、当該ボタンが当該ボタン機能情報に対応するボタン機能を有することを意味している。
【０１０２】
また、処理選択画面５２２ｅには、その時点で機能設定で「あり」に設定されている機能についてのみこれに対応するボタン機能情報が一緒に表示される。この例の処理選択画面５２２ｅでは、貸出パターンの設定変更有りの設定がなされているのに対応して、貸出パターンの変更を指示するボタン機能情報「貸出パターン変更」が上記ボタン機能情報「メダル残枚数払出し」と共に表示される。
【０１０３】
また、図１１の例と同じ設定がなされている場合であって、メダル補給扉５５１，カップ補給扉５４１を開ける前のメダル払出中に払出し不能状態（メダル切れ、メダル詰まり等）が発生している場合、図１２に示すようなメダル払出不能報知画面５２２ｆが表示される。
【０１０４】
このメダル払出不能報知画面５２２ｆには、メダルの補給あるいはエラー解除を指示するメッセージ“メダルを払出すことができません。メダルを補給するか、エラーを解除してください。”と共に、上述したボタン機能情報「貸出パターン変更」が表示される。
【０１０５】
このメダル払出不能報知画面５２２ｆ上のエラー表示を見た補給担当者が、メダルを補給するか、あるいはメダル詰まりを解除することによって、メダル払出しが可能となった時点ではじめて上述したボタン機能情報「メダル残枚数払出し」を表示する。
【０１０６】
また、貸出パターン変更なし設定であってかつメダル払出しがない場合、表示部５２２上には、図１３に示すように、メダル補給扉５５１，カップ補給扉５４１が開放中である旨を通知するメッセージ“天井扉が開いています。”を含む天井扉開放報知画面５２２ｇが表示される。
【０１０７】
その後、図１１に示す処理選択画面５２２ｅまたは図１２に示すメダル払出不能報知画面５２２ｆ上で、ボタン機能情報「貸出パターン変更」に対応するボタン（選択ボタン５２３中のボタン３）が押下されると、貸出パターン設定モードに入り、図１４に示すような貸出パターン設定画面５２２ｈが表示される。
【０１０８】
この貸出パターン設定画面５２２ｈでは、現在設定中の貸出パターン（図１４の例では、貸出パターンＡ：斜線で示す）を点滅表示させる。また、これに限らず、設定されている貸出パターンのみ画面上に表示し、これに対応するボタン（選択ボタン５２３中の各ボタン）を点灯させるようにしても良い。
【０１０９】
貸出パターン設定画面５２２ｈ上で、貸出パターンＡ〜Ｆのいずれかに対応するボタン（選択ボタン５２３中の各ボタン）が押下されると、図１５に示すように、当該押下したボタンに対応する設定内容を確認するための設定確認画面５２２ｉを表示する。
【０１１０】
この設定確認画面５２２ｉ上で、ボタン機能情報「はい」に対応する選択ボタン（選択ボタン５２３中のボタン３）を押下すると、現在設定されている貸出パターン（例えば、図５におけるボタン１〜６に対して、それぞれ、１万円をメダル５５０枚、５千円をメダル２７０枚、千円をメダル５０枚、１万円をメダル５５０枚、５千円をメダル２７０枚、５００円硬貨に両替という設定：図５参照）を、当該押下された選択ボタンの設定内容〔上記ボタン１〜６に対して、それぞれ、１万円をメダル５７０枚、５千円をメダル２８０枚、３千円をメダル１７０枚、１千円をメダル５５枚、５００円をメダル２５枚、５００円硬貨に両替という設定：図１５参照〕に設定変更し、図１１または図１２に示す画面（処理選択画面５２２ｅまたはメダル払出不能報知画面５２２ｆ）の表示状態に戻る。
【０１１１】
また、上記設定確認画面５２２ｉ上でボタン機能情報「いいえ」に対応する選択ボタン（選択ボタン５２３中のボタン６）を押下すると、設定内容を更新することなく、図１４に示す貸出パターン設定画面５２２ｈに戻る。
【０１１２】
また、図１１に示す処理選択画面５２２ｅ上で、ボタン機能情報「メダル残枚数払出し」に対応する選択ボタン（選択ボタン５２３中のボタン６）が押下されると、図１６に示すようなメダル投出確認画面５２２ｊを表示する。
【０１１３】
このメダル投出確認画面５２２ｊには、メダル残枚数を払い出すかどうかを問うメッセージ“メダル残枚数を払い出しますか？”と、残枚数“残枚数＝ＺＺＺ９枚”と、払出しを行うことを指示するボタン機能情報「はい」及び払い出しを行わないことを指示するボタン機能情報「いいえ」が表示されている。
【０１１４】
このメダル投出確認画面５２２ｊで、ボタン機能情報「はい」に対応する選択ボタン（選択ボタン５２３中のボタン３）が押下されると、残枚数に相当するメダルをメダル払出口５２７に投出する。そして、該メダル投出の間、メダル払出中である旨のメッセージ“残枚数＝ＺＺＺ９枚払い出し中です。”を含むメダル払出中画面を表示し、動作終了（メダル払出終了）により、遷移前の画面〔処理選択画面５２２ｅ（図１１参照）〕に戻る。
【０１１５】
また、上記メダル投出確認画面５２２ｊ上で、ボタン機能情報「いいえ」に対応する選択ボタン（選択ボタン５２３中のボタン６）が押下されると、遷移前の画面〔処理選択画面５２２ｅ（図１１参照）〕に戻る。
【０１１６】
また、オペレータモードの設定（図６におけるステップＳ１０６）後、動作中以外の時に補給担当者によってメダル補給扉５５１，カップ補給扉５４１の両方が閉じられると（同、ステップＳ１０８ＹＥＳ）、オペレータモードから客用モードに切り換えられ、表示部５２２の表示が、再び、図５に示す客用モード画面５２２ａに切り換えられる。
【０１１７】
また、オペレータモード設定後、動作中以外の時に管理者（あるいは、保守担当係員）によって扉体５２が開かれた場合も、オペレータモードが終了し、以後、係員モードに移行する。
【０１１８】
このように、本実施例では、メダル貸機５０の本体部５１上面にメダル補給扉５５１、カップ補給扉５４１を設けたため、これらメダル補給扉５５１、カップ補給扉５４１を適合する鍵を用いて開けたうえで、メダル補給口５５２、カップ補給口５４２からそれぞれメダル、カップの補給を行なうことができる。
【０１１９】
また、本実施例によれば、メダル補給扉５５１やカップ補給扉５４１が開閉状態を検知し、これらメダル補給扉５５１またはカップ補給扉５４１の少なくともいずれか一方が開けられた場合に、表示部５２２の動作モードを、遊技客がメダルを購入するために必要な情報（貸出パターン）を表示する客用モードから、補給担当者が各種設定を行うために必要な情報を表示するオペレータモードに切り換えるようにしたため、補給担当者は、上記メダル補給扉５５１やカップ補給扉５４１が開けられるのに連動し、表示部５２２に表示されたボタン機能情報等に従い操作部（選択ボタン５２３）を用いて、貸出パターンの変更や未投出のメダルの払出等の作業を行うことができる。
【０１２０】
かかる構成のメダル貸機５０の運用に際し、例えば、補給担当者には、メダル補給扉５５１やカップ補給扉５４１の鍵しか渡さないようにすれば、補給担当者は、例えば、メダル残量センサ５１１１あるいはカップ残量センサ５３１１の検知出力に基づきメダルやカップのエンプティやニアエンプティ等の発生を示す情報が表示部５２２に表示された場合に、鍵を用いてメダル補給扉５５１やカップ補給扉５４１を開けた後、メダル補給口５５２からのメダルの補給、カップ補給口５４２からのメダルの補給を行なうことができ、更に、必要があれば、通常は客用表示部として機能し、メダル補給扉５５１、カップ補給扉５４１を開けることでオペレータモードに切り換えられる表示部５２２の表示と、操作部（選択ボタン５２３）の入力操作機能を使って、未投出メダルの払出し、メダル詰まり等の故障状態から待機状態への復帰等のリセット操作も行うことができる。
【０１２１】
しかしながら、補給担当者は、扉体５２の鍵を所有していないため、扉体５２は開けて、本体部５１内部の硬貨払出装置５１４や紙幣処理装置５１５に触れることはできず、補給担当者による金銭に絡む不正行為の防止効果を格段に高めることができる。
【０１２２】
一方で、管理者あるいは保守担当係員には、扉体５２の鍵を渡すようにすれば（メダル補給扉５５１、カップ補給扉５４１の各鍵も併せて持たせても良い）、管理者は、必要に応じて、鍵を用いて扉体５２を開けることによって、紙幣処理装置５１５や硬貨払出装置５１４への紙幣や硬貨の補充作業、紙幣処理装置５１５や硬貨処理装置５３４からの紙幣や硬貨の回収作業を行なうことができ、更には、メダル収納部５１１へのメダルの補給やカップ収納部５３１へのカップの補給も行なうことができる。
【０１２３】
また、上述の如く扉体５２を開けた状態で、管理者あるいは保守担当係員は、扉体５２の開放によって係員モードに設定された表示部５２２の表示機能、係員操作部５１７の入力機能、更には、ジャーナルプリンタ５１６のプリント機能を駆使して、メニュー等の各種設定作業、売上等の各種情報の収集、各装置の動作チェック等のメンテナンス作業を行うことができる。
【実施例２】
【０１２４】
図１７は、実施例２に係わるメダル貸機５０Ａの機能構成を示すブロック図である。図１７において、実施例１に係わるメダル貸機５０（図３参照）の各部と同様の機能を果たす部分には同一の符号を付している。
【０１２５】
本実施例に係わるメダル貸機５０Ａは、実施例１に係わるメダル貸機５０に備わっていたカップ補給扉開閉検知センサ５４１１、メダル補給扉開閉検知センサ５５１１に換えて、モード切換スイッチ５６１ａ，５６１ｂを設けると共に、該モード切換スイッチ５６１ａ，５６１ｂの切換操作に対応したモード切換制御を行なうモード切換制御部５３５１Ａを制御部５３５内に備えている。
【０１２６】
ここで、モード切換スイッチ５６１ａは、例えば、カップ補充扉５４１を開けた状態で補給担当者が触れることができる適宜な位置に設置され、モード切換スイッチ５６１ｂは、メダル補充扉５５１を開けた状態で補給担当者が触れることができる適宜な位置に設置されている。
【０１２７】
図１８は、実施例２に係わるモード切換スイッチ５６１ａ，５６１ｂの設置例を示す図である。
【０１２８】
この例では、モード切換スイッチ５６１ａ，５６１ｂは、それぞれ、カップ補充扉５４１，メダル補充扉５５１の内側（裏面側）に設けられており、例えば、レバーをオフ（ＯＦＦ）またはオン（ＯＮ）の位置に切り換えることで、上述した客用モードまたはオペレータモードを指示できる機能構成を有している。
【０１２９】
これにより、本実施例のメダル貸機５０Ａでは、補給担当者が、カップ補充扉５４１またはメダル補充扉５５１の少なくともいずれか一方を開けてその裏面側に設けられているモード切換スイッチ５６１ａ，５６１ｂのレバーを操作（オフからオンにする）することにより客用モードからオペレータモードへの切換指示を行うことができる。
【０１３０】
一方、モード切換制御部５３５１Ａでは、上記モード切換スイッチ５６１ａ，５６１ｂからの切換指示に応じて表示部５２２を客用モードからオペレータモードに切り換えて駆動する制御を行なう。
【０１３１】
図１９は、実施例２に係わるメダル貸機５０Ａの処理動作を示すフローチャートである。図１９において、実施例１に係わるメダル貸機５０の処理動作（図６参照）中の各処理と同様の処理については同一のステップ符号を付している。
【０１３２】
図１９では、実施例１に係わるメダル貸機５０と同様の処理については詳しい説明を割愛し、実施例２に係わるメダル貸機５０Ａ特有の処理を主体に説明する。
【０１３３】
図１９に示すように、本実施例のメダル貸機５０Ａでは、ステップ１０１での扉体５２が開放されているか否かのチェックにおいて、扉体５２が開かれていないことが検知された場合（ステップＳ１０１ＮＯ）、モード切換制御部５３５１Ａは、モード切換スイッチ５６１ａ，５６１ｂのいずれかがオンとなったか否かをチェックする（ステップＳ１０３ａ）。
【０１３４】
ここで、モード切換スイッチ５６１ａ，５６１ｂのいずれもオンでない場合（ステップＳ１０３ａＮＯ）、制御部５３５は、ステップＳ１０４、Ｓ１０５へと進み、メダル払い出しのための取引処理を実行する。
【０１３５】
これに対して、上記モード切換スイッチ５６１ａ，５６１ｂのいずれかがオンとなった場合（ステップＳ１０３ａＹＥＳ）、モード切換制御部５３５１Ａは、表示部５２２の動作モードを上記客用モードからオペレータモードに切り換え（ステップＳ１０６）、表示部５２２に、該オペレータモードで設定（あるいは、設定解除）可能な各種機能を選択するための機能選択画面を表示する（ステップＳ１０７）。
【０１３６】
上記機能選択画面の表示後、モード切換制御部５３５１Ａは、モード切換スイッチ５６１ａ，５６１ｂの両方がオフとなったか否かをチェックし（ステップＳ１０８ａ）、両方がオフとなった場合（ステップＳ１０８ａＹＥＳ）には、上記オペレータモードを解除し（ステップＳ１０９）、表示部５２２の動作モードを客用モードに戻した後、待機状態に復帰させる。
【０１３７】
これに対して、モード切換スイッチ５６１ａ，５６１ｂの両方がオフになっていない場合（ステップＳ１０８ａＮＯ）には、モード切換制御部５３５１Ａは、ステップＳ１１０からステップＳ１１３を経てステップＳ１０７以降の処理を繰り返し実施し、この間、モード切換スイッチ５６１ａ，５６１ｂの両方がオフとなった場合（ステップＳ１０８ａＹＥＳ）、上記オペレータモードを解除し（ステップＳ１０９）、表示部５２２の動作モードを客用モードに戻した後、待機状態に復帰させる。
【０１３８】
このように、実施例２に係わるメダル貸機５０Ａでは、カップ補充扉５４１，メダル補充扉５５１の内側に、それぞれ、モード切換スイッチ５６１ａ，５６１ｂを設け、補給担当者がカップ補充扉５４１，メダル補充扉５５１を開け、モード切換スイッチ５６１ａ，５６１ｂを手動で操作することにより客用モードからオペレータモードに切り換えるように制御するものである。
【０１３９】
このため、メダル貸機５０Ａでは、表示部５２２の動作モードを客用モードからオペレータモードに切り換えるためには、補給担当者が、カップ補充扉５４１，メダル補充扉５５１を開け、モード切換スイッチ５６１ａ，５６１ｂを手動操作する必要があるが、それ以外の運用は、実施例１に係わるメダル貸機５０と同様に行なうことができる。
【０１４０】
これにより、実施例２においても、補給担当者には、メダル補給扉５５１やカップ補給扉５４１の鍵しか持たせないようにし、該補給担当者が、メダル補給扉５５１やカップ補給扉５４１を開けてメダルやカップの補給は行えるが、扉体５２を開けて本体部５１内部の硬貨払出装置５１４や紙幣処理装置５１５に触れることはできないようにすることによって、補給担当者による金銭に絡む不正行為の防止効果を高めることができるという、実施例１と同等の作用効果を奏する。
【０１４１】
なお、実施例２の変形例としては、例えば、実施例１と同様のカップ補給扉開閉検知センサ５４１１、メダル補給扉開閉検知センサ５５１１を設け、これらカップ補給扉開閉検知センサ５４１１及びメダル補給扉開閉検知センサ５５１１の検知出力に基づき、モード切換制御部５３５１Ａが、カップ補給扉５４１またはメダル補給扉５５１の両方が閉じられたことを認識し、表示部５２２を上記オペレータモードから客用モードに切り換える制御を行なうようにしても良い。
【０１４２】
この他、本発明は、上記し、且つ図面に示す実施例に限定することなく、その要旨を変更しない範囲内で適宜変形して実施できるものである。
【０１４３】
例えば、上記各実施例では、メダル補給扉及びカップ補給扉をメダル貸機の本体部上面に設けているが、これに限らず、例えば、本体部の側面あるいは背面に設けても良い。
【０１４４】
特に、複数台のメダル貸機が配列されている場合には、背面にメダル補給扉及びカップ補給扉を設けた構造は、効率良く補給作業を進めるうえで極めて有効である。
【０１４５】
また、上記各実施例では、カップ払出装置を有するメダル貸機の例を挙げているが、カップ払出装置を有しないメダル貸機であっても良い。この場合、メダル補給扉のみを設け、該メダル補給扉を開けてメダルの補給のみを行なう構成となる。当然、補給扉開閉検知に関しては、メダル補給扉開閉検知センサのみを設け、該メダル補給扉開閉検知センサによってメダル補給扉が開けられたことが検知された場合に客用モードからオペレータモードに切換え、メダル補給扉が閉じられたことが検知された場合にオペレータモードから客用モードに切換える制御が行なわれることになる。
【０１４６】
また、本発明は、補給担当者には触れて欲しくない貨幣処理装置等を装置本体内部に持つタイプであれば、メダル以外の遊技媒体を貸し出す遊技媒体貸出装置にも適用可能である。
【０１４７】
上記各実施例では、特許請求の範囲中の「表示操作手段」として、表示部５２２と選択ボタン５２３の組み合わせで対応したが、タッチパネル（表示／操作部）のみで対応したり、タッチパネル（表示／操作部）と選択ボタン等の操作部によって対応するものでも良い。
【産業上の利用可能性】
【０１４８】
本発明は、本体筐体部と、該本体筐体部前面に開閉可能に取り付けられる扉体から成る遊技媒体貸出装置に適用可能であり、本体筐体部の外面に遊技媒体補給扉を設け、該遊技媒体補給扉を開けて遊技媒体収納部に遊技媒体を補給できるようにすることで、補給担当者が扉体を開けて本体筐体部内部の貨幣処理装置に触れることができないようにし、安全性の高い金銭管理を実現できる。
【図面の簡単な説明】
【０１４９】
【図１】実施例１に係わるメダル貸機の正面外観構造を示す図。
【図２】実施例１に係わるメダル貸機の扉体開放時の内部構造を示す斜視図。
【図３】実施例１に係わるメダル貸機の機能構成を示すブロック図。
【図４】メダル貸機のメダル及びカップ補給時の作業イメージを示す図。
【図５】メダル貸機の表示部における客用モード画面の表示例を示す図。
【図６】実施例１に係わるメダル貸機の処理動作全体の流れを示すフローチャート。
【図７】メダル貸機の表示部における扉体開放報知画面の表示例を示す図。
【図８】メダル貸機の表示部におけるエラー報知画面の表示例を示す図。
【図９】本体部内部に設けられる係員操作部の正面外観構造を示す図。
【図１０】メダル貸機の表示部における係員操作モード画面の表示例を示す図。
【図１１】メダル貸機の表示部における処理選択画面の表示例と操作部（選択ボタン）を示す図。
【図１２】メダル貸機の表示部におけるメダル払出不能報知画面の表示例と操作部（選択ボタン）を示す図。
【図１３】メダル貸機の表示部における天井扉開放報知画面の表示例と操作部（選択ボタン）を示す図。
【図１４】メダル貸機の表示部におけるパターン設定画面の表示例と操作部（選択ボタン）を示す図。
【図１５】メダル貸機の表示部における設定確認画面の表示例と操作部（選択ボタン）を示す図。
【図１６】メダル貸機の表示部におけるメダル投出確認画面の表示例と操作部（選択ボタン）を示す図。
【図１７】実施例２に係わるメダル貸機の機能構成を示すブロック図。
【図１８】実施例２に係わるモード切換スイッチの設置例を示。
【図１９】実施例２に係わるメダル貸機の処理動作を示すフローチャート。
【符号の説明】
【０１５０】
５０，５０Ａ…メダル貸機、５１…本体部、５１１…メダル収納部、５１１１…メダル残量センサ、５１２…メダル繰出部、５１３…メダル払出装置、５１４…硬貨払出装置、５１５…紙幣処理装置、５１６…ジャーナルプリンタ、５１７…係員操作部、５１８…電源装置、５２…扉体、５２０１…扉体開閉検知センサ、５２１…錠機構、５２２…表示部、５２３…選択ボタン、５２４…硬貨投入口、５２５…紙幣投入／払出口、５２６…取消ボタン、５２７…メダル払出口、５２８…硬貨払出口、５３１…カップ収納部、５３１１…カップ残量センサ、５３２…カップ繰出部、５３３…カップ払出装置、５３４…硬貨処理装置、５３５…制御基板（制御部）、５３５１，５３５１Ａ…モード切換制御部、５３５２…メモリ、５４１…カップ補給扉、５４１１…カップ補給扉開閉検知センサ、５４２…カップ補給口、５４３，５５３…錠機構、５５１…メダル補給扉、５５１１…メダル補給扉開閉検知センサ、５５２…メダル補給口、５６１ａ，５６１ｂ…モード切換スイッチ、５２２ａ…客用モード画面、５２２ｂ…扉体開放報知画面、５２２ｃ…エラー報知画面、５２２ｄ…設定メニュー画面、５２２ｅ…処理選択画面、５２２ｆ…メダル払出不能報知画面、５２２ｇ…天井扉開放報知画面、５２２ｈ…貸出パターン設定画面、５２２ｉ…設定確認画面、５２２ｊ…メダル投出確認画面
【図１】
2005304840.tif 000003
【図２】
2005304840.tif 000004
【図３】
2005304840.tif 000005
【図４】
2005304840.tif 000006
【図５】
2005304840.tif 000007
【図６】
2005304840.tif 000008
【図７】
2005304840.tif 000009
【図８】
2005304840.tif 000010
【図９】
2005304840.tif 000011
【図１０】
2005304840.tif 000012
【図１１】
2005304840.tif 000013
【図１２】
2005304840.tif 000014
【図１３】
2005304840.tif 000015
【図１４】
2005304840.tif 000016
【図１５】
2005304840.tif 000017
【図１６】
2005304840.tif 000018
【図１７】
2005304840.tif 000019
【図１８】
2005304840.tif 000020
【図１９】
2005304840.tif 000021